(57)【特許請求の範囲】
【請求項１】
取引用のコンテンツの送信を管理する管理装置と、該管理装置からコンテンツを受信する端末装置を含むコンテンツ取引システムであって、
前記端末装置側の撮像手段によりコンテンツ特定用として撮影された画像に基づいてコンテンツを特定する特定手段と、
前記撮像手段による画像撮影時の撮影状況を検出する撮影状況検出手段と、
前記撮影状況検出手段により検出された撮影状況に基づいてコンテンツ取引に関する特典内容を決定する決定手段と、
前記決定手段により決定されたコンテンツ取引に関する特典内容に基づいて、前記特定手段により特定されたコンテンツを前記端末装置に送信するコンテンツ送信手段と、
を備えることを特徴とするコンテンツ取引システム。
【請求項２】
前記撮影状況検出手段は、前記撮像手段による画像撮影時における前記端末装置の位置及び時刻の少なくともいずれか一方を撮影状況として検出し、
前記決定手段は、前記撮影状況検出手段により検出された位置及び時刻の少なくともいずれか一方に基づいてコンテンツ取引に関する特典内容を決定する、
ようにしたことを特徴とする請求項１記載のコンテンツ取引システム。
【請求項３】
前記決定手段は、コンテンツの利用範囲、コンテンツの利用料、コンテンツの利用期限、サービス券の付加、利用ポイントの加算、景品の付加のうち少なくともいずれか一方をコンテンツ取引に関する特典内容として決定する、
ようにしたことを特徴とする請求項１記載のコンテンツ取引システム。
【請求項４】
コンテンツの利用履歴をその利用先別に管理する管理手段と、
コンテンツの利用先を検出する利用先検出手段と、
前記管理手段により管理されている利用履歴の中から、前記利用先検出手段により検出された利用先の利用履歴を読み出す読出手段と、
をさらに備え、
前記決定手段は、前記撮影状況検出手段により検出された撮影状況と前記読出手段により読み出された利用履歴に基づいて、コンテンツ取引に関する特典内容を決定する、
ようにしたことを特徴とする請求項１記載のコンテンツ取引システム。
【請求項５】
コンテンツの利用先を識別するための識別情報を前記管理装置に送信する識別情報送信手段をさらに備え、
前記利用先検出手段は、前記識別情報送信手段により送信された識別情報に基づいて、コンテンツの利用先を検出する、
ようにしたことを特徴とする請求項４記載のコンテンツ取引システム。
【請求項６】
前記撮影状況検出手段は、前記撮像手段による画像撮影時に前記端末装置が特定の店舗内あるいは図書館内に存在するか否かを撮影状況として検出し、
前記決定手段は、前記撮影状況検出手段により特定の店舗内あるいは図書館内に存在することが検出された場合に、コンテンツの利用料を所定の利用料よりも安い利用料に決定し、
前記コンテンツ送信手段は、前記決定手段により決定された安い利用料で、前記特定手段により特定されたコンテンツを前記端末装置に送信する、
ようにしたことを特徴とする請求項１記載のコンテンツ取引システム。
【請求項７】
前記撮影状況検出手段は、前記撮像手段による画像撮影時に前記端末装置が特定の店舗内あるいは図書館内に存在するか否かを撮影状況として検出し、
前記決定手段は、前記撮影状況検出手段により特定の店舗内あるいは図書館内に存在することが検出された場合に、コンテンツの利用範囲をコンテンツの一部として決定し、
前記コンテンツ送信手段は、前記特定手段により特定されたコンテンツのうち前記決定手段により決定されたコンテンツの一部を前記端末装置に送信する、
ようにしたことを特徴とする請求項１記載のコンテンツ取引システム。
【請求項８】
前記撮影状況検出手段は、画像を撮影する際の端末装置がそのユーザの自宅内に存在するか否かを検出し、
前記決定手段は、前記撮影状況検出手段によりユーザの自宅内に存在することが検出された場合に、コンテンツの利用料を所定の利用料よりも安い利用料に決定し、
前記コンテンツ送信手段は、前記決定手段により決定された安い利用料で、前記特定手段により特定されたコンテンツを前記端末装置に送信する、
ようにしたことを特徴とする請求項１記載のコンテンツ取引システム。
【請求項９】
取引用のコンテンツを管理する管理装置からコンテンツを受信する端末装置であって、
コンテンツ特定用の画像を撮影する撮像手段と、
前記撮像手段によりコンテンツ特定用として撮影された画像に基づいてコンテンツを特定する特定手段と、
前記撮像手段による画像撮影時の撮影状況を検出する撮影状況検出手段と、
前記撮影状況検出手段により検出された撮影状況に基づいてコンテンツ取引に関する特典内容を決定する決定手段と、
前記特定手段により特定されたコンテンツを識別するためのコンテンツ識別情報と前記決定手段により決定されたコンテンツ取引に関する特典内容を前記管理装置に送信することによって該コンテンツの送信を要求するコンテンツ要求手段と、
を備えることを特徴とする端末装置。
【請求項１０】
前記撮影状況検出手段は、前記撮像手段による画像撮影時における前記端末装置の位置及び時刻の少なくともいずれか一方を撮影状況として検出し、
前記決定手段は、前記撮影状況検出手段により検出された位置及び時刻の少なくともいずれか一方に基づいて、コンテンツの利用範囲、コンテンツの利用料、コンテンツの利用期限、サービス券の付加、利用ポイントの加算、景品の付加のうち少なくともいずれか一方をコンテンツ取引に関する特典内容として決定する、
ようにしたことを特徴とする請求項９記載の端末装置。
【請求項１１】
コンピュータに対して、
取引用のコンテンツを管理する管理装置からコンテンツを受信する端末装置側の撮像手段によりコンテンツ特定用として撮影された画像に基づいてコンテンツを特定する機能と、
前記撮像手段による画像撮影時の撮影状況を検出する機能と、
前記検出された撮影状況に基づいてコンテンツ取引に関する特典内容を決定する機能と、
前記決定されたコンテンツ取引に関する特典内容に基づいて、前記特定されたコンテンツを前記端末装置に送信する機能と、
を実現させるためのプログラム。
【請求項１２】
コンピュータに対して、
コンテンツ特定用の画像を撮影する撮像手段によりコンテンツ特定用として撮影された画像に基づいてコンテンツを特定する機能と、
前記撮像手段による画像撮影時の撮影状況を検出する機能と、
前記検出された撮影状況に基づいてコンテンツ取引に関する特典内容を決定する機能と、
前記特定されたコンテンツを識別するためのコンテンツ識別情報と前記決定されたコンテンツ取引に関する特典内容を、取引用のコンテンツを管理する管理装置に送信することにより該コンテンツの送信を要求する機能と、
を実現させるためのプログラム。
【発明の詳細な説明】
【技術分野】
【０００１】
本発明は、コンテンツを管理する管理装置と該管理装置からコンテンツを受信する端末装置を含むコンテンツ取引システム及び端末装置並びにプログラムに関する。
【背景技術】
【０００２】
従来、取引する音楽データ、映像データ、書籍データなどのコンテンツを管理する管理装置（サーバ装置）と、この管理装置からコンテンツを受信する端末装置（携帯電話機）を含むコンテンツ取引システムにおいては、ＣＤ／ＤＶＤのジャケットや書籍の表紙などのように、コンテンツを識別するための画像が端末装置に搭載されている撮影機能によって撮影されて、その撮影画像が管理装置に送信されると、管理装置側では、受信した撮影画像を解析することでコンテンツを特定し、その特定したコンテンツを元の端末装置に対して送信するようにしている。例えば、特許文献１にはこの種の技術が開示されている。
【先行技術文献】
【特許文献】
【０００３】
【特許文献１】ＷＯ２００６／０４３４３７号公報
【発明の概要】
【発明が解決しようとする課題】
【０００４】
しかしながら、上述した先行技術にあっては、ＣＤ／ＤＶＤのジャケット、書籍の表紙などを撮影した画像を利用して該当するコンテンツを検索するようにしているが、撮影画像から単にコンテンツを特定するだけであった。
ところで、例えば、通信ネットワークを介してコンテンツを売買したり、レンタルしたりするコンテンツ取引システムにあっては、過当競争や不況の下、新規顧客の獲得及び販売促進のために様々な顧客サービスを提供するようにしているが、例えば、どのような場合にコンテンツの利用料を割り引いたら効果的であるか、どのような場合にコンテンツのサンプルを無料送信したら効果的かなどは分からず、必ずしも適切な顧客サービスを提供しているとは限らなかった。
【０００５】
本発明の課題は、撮影された画像に基づいて、適切かつ円滑なコンテンツ取引を実現できるようにする。
【課題を解決するための手段】
【０００６】
上述した課題を解決するために請求項１記載の発明は、
取引用のコンテンツの送信を管理する管理装置と、該管理装置からコンテンツを受信する端末装置を含むコンテンツ取引システムであって、
前記端末装置側の撮像手段によりコンテンツ特定用として撮影された画像に基づいてコンテンツを特定する特定手段と、
前記撮像手段による画像撮影時の撮影状況を検出する撮影状況検出手段と、
前記撮影状況検出手段により検出された撮影状況に基づいてコンテンツ取引に関する特典内容を決定する決定手段と、
前記決定手段により決定されたコンテンツ取引に関する特典内容に基づいて、前記特定手段により特定されたコンテンツを前記端末装置に送信するコンテンツ送信手段と、
を備えることを特徴とする。
【０００７】
請求項１に従属する発明として、
前記撮影状況検出手段は、前記撮像手段による画像撮影時における前記端末装置の位置及び時刻の少なくともいずれか一方を撮影状況として検出し、
前記決定手段は、前記撮影状況検出手段により検出された位置及び時刻の少なくともいずれか一方に基づいてコンテンツ取引に関する特典内容を決定する、
ようにしたことを特徴とする、請求項２記載の発明であってもよい。
【０００８】
請求項１に従属する発明として、
前記決定手段は、コンテンツの利用範囲、コンテンツの利用料、コンテンツの利用期限、
サービス券の付加、利用ポイントの加算、景品の付加のうち少なくともいずれか一方をコンテンツ取引に関する特典内容として決定する、
ようにしたことを特徴とする、請求項３記載の発明であってもよい。
【０００９】
請求項１に従属する発明として、
コンテンツの利用履歴をその利用先別に管理する管理手段と、
コンテンツの利用先を検出する利用先検出手段と、
前記管理手段により管理されている利用履歴の中から、前記利用先検出手段により検出された利用先の利用履歴を読み出す読出手段と、
をさらに備え、
前記決定手段は、前記撮影状況検出手段により検出された撮影状況と前記読出手段により読み出された利用履歴に基づいて、コンテンツ取引に関する特典内容を決定する、
ようにしたことを特徴とする、請求項４記載の発明であってもよい。
【００１０】
請求項４に従属する発明として、
コンテンツの利用先を識別するための識別情報を前記管理装置に送信する識別情報送信手段をさらに備え、
前記利用先検出手段は、前記識別情報送信手段により送信された識別情報に基づいて、コンテンツの利用先を検出する、
ようにしたことを特徴とする、請求項５記載の発明であってもよい。
【００１１】
請求項１に従属する発明として、
前記撮影状況検出手段は、前記撮像手段による画像撮影時に前記端末装置が特定の店舗内あるいは図書館内に存在するか否かを撮影状況として検出し、
前記決定手段は、前記撮影状況検出手段により特定の店舗内あるいは図書館内に存在することが検出された場合に、コンテンツの利用料を所定の利用料よりも安い利用料に決定し、
前記コンテンツ送信手段は、前記決定手段により決定された安い利用料で、前記特定手段により特定されたコンテンツを前記端末装置に送信する、
ようにしたことを特徴とする、請求項６記載の発明であってもよい。
【００１２】
請求項１に従属する発明として、
前記撮影状況検出手段は、前記撮像手段による画像撮影時に前記端末装置が特定の店舗内あるいは図書館内に存在するか否かを撮影状況として検出し、
前記決定手段は、前記撮影状況検出手段により特定の店舗内あるいは図書館内に存在することが検出された場合に、コンテンツの利用範囲をコンテンツの一部として決定し、
前記コンテンツ送信手段は、前記特定手段により特定されたコンテンツのうち前記決定手段により決定されたコンテンツの一部を前記端末装置に送信する、
ようにしたことを特徴とする、請求項７記載の発明であってもよい。
【００１３】
請求項１に従属する発明として、
前記撮影状況検出手段は、画像を撮影する際の端末装置がそのユーザの自宅内に存在するか否かを検出し、
前記決定手段は、前記撮影状況検出手段によりユーザの自宅内に存在することが検出された場合に、コンテンツの利用料を所定の利用料よりも安い利用料に決定し、
前記コンテンツ送信手段は、前記決定手段により決定された安い利用料で、前記特定手段により特定されたコンテンツを前記端末装置に送信する、
ようにしたことを特徴とする、請求項８記載の発明であってもよい。
【００１４】
また、上述した課題を解決するために請求項９記載の発明は、
取引用のコンテンツを管理する管理装置からコンテンツを受信する端末装置であって、
コンテンツ特定用の画像を撮影する撮像手段と、
前記撮像手段によりコンテンツ特定用として撮影された画像に基づいてコンテンツを特定する特定手段と、
前記撮像手段による画像撮影時の撮影状況を検出する撮影状況検出手段と、
前記撮影状況検出手段により検出された撮影状況に基づいてコンテンツ取引に関する特典内容を決定する決定手段と、
前記特定手段により特定されたコンテンツを識別するためのコンテンツ識別情報と前記決定手段により決定されたコンテンツ取引に関する特典内容を前記管理装置に送信することによって該コンテンツの送信を要求するコンテンツ要求手段と、
を備えることを特徴とする。
【００１５】
請求項９に従属する発明として、
前記撮影状況検出手段は、前記撮像手段による画像撮影時における前記端末装置の位置及び時刻の少なくともいずれか一方を撮影状況として検出し、
前記決定手段は、前記撮影状況検出手段により検出された位置及び時刻の少なくともいずれか一方に基づいて、コンテンツの利用範囲、コンテンツの利用料、コンテンツの利用期限、サービス券の付加、利用ポイントの加算、景品の付加のうち少なくともいずれか一方をコンテンツ取引に関する特典内容として決定する、
ようにしたことを特徴とする、請求項１０記載の発明であってもよい。
【００１６】
また、上述した課題を解決するために請求項１１記載の発明は、
コンピュータに対して、
取引用のコンテンツを管理する管理装置からコンテンツを受信する端末装置側の撮像手段によりコンテンツ特定用として撮影された画像に基づいてコンテンツを特定する機能と、
前記撮像手段による画像撮影時の撮影状況を検出する機能と、
前記検出された撮影状況に基づいてコンテンツ取引に関する特典内容を決定する機能と、
前記決定されたコンテンツ取引に関する特典内容に基づいて、前記特定されたコンテンツを前記端末装置に送信する機能と、
を実現させるためのプログラム、であることを特徴とする。
【００１７】
また、上述した課題を解決するために請求項１２記載の発明は、
コンピュータに対して、
コンテンツ特定用の画像を撮影する撮像手段によりコンテンツ特定用として撮影された画像に基づいてコンテンツを特定する機能と、
前記撮像手段による画像撮影時の撮影状況を検出する機能と、
前記検出された撮影状況に基づいてコンテンツ取引に関する特典内容を決定する機能と、
前記特定されたコンテンツを識別するためのコンテンツ識別情報と前記決定されたコンテンツ取引に関する特典内容を、取引用のコンテンツを管理する管理装置に通信ネットワークを介して送信することにより該コンテンツの送信を要求する機能と、
を実現させるためのプログラム、であることを特徴とする。
【発明の効果】
【００１８】
本発明によれば、撮影された画像に基づいて、適切かつ円滑なコンテンツ取引を実現することができ、取引上、有益なものとなる。
【図面の簡単な説明】
【００１９】
【図１】端末装置として適用した携帯電話機１が利用可能な通信ネットワークシステムを示したブロック図。
【図２】携帯電話機１の基本的な構成要素を示したブロック図。
【図３】管理装置２の基本的な構成要素を示したブロック図。
【図４】管理装置２側に設けられたコンテンツ情報記憶部Ｍ２３を説明するための図。
【図５】管理装置２側に設けられたユーザ情報記憶部Ｍ２４を説明するための図。
【図６】管理装置２側に設けられた店舗情報記憶部Ｍ２５を説明するための図。
【図７】管理装置２側に設けられた利用履歴記憶部Ｍ２６を説明するための図。
【図８】携帯電話機１側でのコンテンツ受信処理を示したフローチャート。
【図９】サンプル／購入選択処理（図８のステップＡ９）を詳述するためのフローチャート。
【図１０】電源投入に応じて実行開始される管理装置２側でのコンテンツ送信処理を示したフローチャート。
【図１１】コンテンツ取引に関する特典内容決定処理（図１０のステップＣ３）を詳述するためのフローチャート。
【図１２】自宅処理（図１１のステップＤ３）を詳述するためのフローチャート。
【図１３】店舗処理（図１１のステップＤ５）を詳述するためのフローチャート。
【図１４】第２実施形態における携帯電話機１側のコンテンツ受信処理を示したフローチャート。
【発明を実施するための形態】
【００２０】
（第１実施形態）
以下、図１〜図１３を参照して本発明の第１実施形態を説明する。
この実施形態は、端末装置として携帯電話機１に適用した場合を例示したもので、図１は、携帯電話機１が利用可能な通信ネットワークシステムを示したブロック図である。
携帯電話機１は、通話機能、電子メール機能、インターネット接続機能（Ｗｅｂアクセス機能）、カメラ機能などを備え、高速大容量通信を実現する移動通信システムの利用が可能であるほか、コンテンツの送信を管理する管理装置２を含むコンテンツ取引システムの利用が可能となっている。
【００２１】
すなわち、携帯電話機１は、最寄りの基地局３Ａ、交換機３Ｂから無線通信網（移動体通信網）３に接続されると、この無線通信網３を介して他の携帯電話機（図示省略）との間で高速大容量の通信が可能な状態となる。また、携帯電話機１は、無線通信網３を介してインターネット４に接続されると、Ｗｅｂサイトをアクセスして閲覧可能となり、また、管理装置２から音楽データ、映像データ、書籍データなどのコンテンツをインターネット４、無線通信網３を介してダウンロード可能となる。
【００２２】
コンテンツ取引システムは、取引用のコンテンツの送信を管理する管理装置（サーバ装置）２と、この管理装置２からインターネット４、無線通信網３を介してコンテンツを受信する携帯電話機１を含む構成で、例えば、多数の加盟店が集合したインターネット通信販売システムである。なお、携帯電話機１は、受信したコンテンツを自身が利用（再生）する場合を示しているが、これに限らず、例えば、管理装置２からコンテンツを受信した後に、他の端末装置（図示省略）に転送することによりその転送先側で当該コンテンツを利用させるようにしてもよい。
【００２３】
管理装置２は、音楽データ、映像データ、書籍データなどのコンテンツの送信を管理するもので、インターネット４及び無線通信網３を介して携帯電話機１に接続されるほか、外部の電子決済システム（図示省略）にインターネット４を介して接続され、電子決済システムと連携して携帯電話機１との間で電子決済処理が可能となっている。なお、管理装置２は、この通信販売サービスに加盟している店舗側の店舗端末装置５にインターネット４を介して接続され、この店舗端末装置５から管理装置２側の店舗情報を更新したり、各種の手続きを行ったりするようにしている。
【００２４】
図２は、携帯電話機１の基本的な構成要素を示したブロック図である。
中央制御部１０１は、二次電池を備えた電池部１０２からの電力供給によって動作し、記憶部１０３内の各種のプログラムに応じてこの携帯電話機１の全体動作を制御する中央演算処理装置やメモリ（図示省略）などを有している。この記憶部１０３には、プログラム記憶部Ｍ１１、各種情報一時記憶部Ｍ１２、コンテンツ記憶部Ｍ１３、ユーザ情報記憶部Ｍ１４などが設けられている。なお、記憶部１０３は、例えば、ＳＤカード、ＩＣカードなど、着脱自在な可搬型メモリ（記録メディア）を含む構成であってもよく、図示しない所定の外部サーバ上にあってもよい。
【００２５】
プログラム記憶部Ｍ１１は、図８及び図９に示した動作手順に応じて本実施形態を実現するためのプログラムや各種のアプリケーションなどが格納されているほか、それに必要とする情報などが記憶されている。各種情報一時記憶部Ｍ１２は、フラグ情報、画面情報など、携帯電話機１が動作するために必要な各種の情報を一時的に記憶するワーク領域である。コンテンツ記憶部Ｍ１３は、管理装置２から受信したコンテンツを記憶保存する領域である。ユーザ情報記憶部Ｍ１４は、ユーザを識別するユーザＩＤ、携帯電話機１を識別する端末ＩＤ、自宅の位置情報（場所情報）などを記憶する領域である。
【００２６】
無線通信部１０４は、無線部、ベースバンド部、多重分離部などを備え、例えば、通話機能、電子メール機能、インターネット接続機能などの動作時に、最寄りの基地局３Ａとの間でデータの送受信を行うもので、通話機能の動作時にはベースバンド部の受信側から信号を取り込んで受信ベースバンド信号に復調して中央制御部１０１に対して出力すると、中央制御部１０１は、音声信号処理部１０５を介して通話用スピーカＳＰから音声出力させ、また、通話用マイクＭＣからの入力音声データを音声信号処理部１０５から取り込み、送信ベースバンド信号に符号化した後、ベースバンド部の送信側に与えてアンテナＡＴ１から発信出力させる。
【００２７】
ＧＰＳ受信部（Global Positioning System）１０６は、ＧＰＳ衛星（図示せず）と地上局とを利用してＧＰＳ信号をアンテナＡＴ２から受信するほか、このＧＰＳ信号に基づいて現在位置（経緯度情報）を検出するもので、中央制御部１０１は、携帯電話機の移動に応じてＧＰＳ受信部１０６から現在の位置情報（例えば、自宅の位置情報、店舗の位置情報）を取得する。おな、ＧＰＳ受信部１０６から店舗の位置情報を取得する場合に限らず、その店舗内において近距離通信により送信される信号（店舗名や店舗位置などを含む信号）を受信することにより店舗の位置情報を取得するようにしてもよい。
【００２８】
撮像部１０７は、カメラ機能を構成する構成要素で、静止画撮影のほかに動画撮影も可能なもので、カメラレンズ部、撮像素子（例えば、ＣＣＤあるいはＣＭＯＳ）、画像信号処理部、アナログ処理部、圧縮伸張部、各種センサ部（測距センサ、光量センサなど）などを有し、光学ズームを調整制御したり、オートフォーカス時の駆動制御、シャッタ駆動制御、露出、ホワイトバランスなどを制御したり、シャッタ速度（露光時間）を測定したりする。また、撮像部１０７は、被写体に応じて望遠／広角の切り替えができる２焦点式レンズやズームレンズを備え、自宅や店舗内において任意の書籍の表紙、ＣＤ／ＤＶＤのジャケットを撮像部１０７で撮影するようにしている。
【００２９】
表示部１０８は、例えば、高精細液晶や有機ＥＬ（Electro Luminescence）などを使用したもので、例えば、待受画像、アイコン、日時情報のほか、テキストデータ、メール、Ｗｅｂページなどを表示するもので、カメラ機能の使用時にはライブビュー画像（モニタ画像）を表示するファインダ画面となる。操作部１０９は、ダイヤル入力、文字入力、コマンド入力などを入力するもので、中央制御部１０１は、この操作部１０９からの入力操作信号に応じた処理を実行する。例えば、電源オンオフ操作に応じて電源オン／オフ処理を行ったり、撮影を指示する撮影操作に応じて撮影処理を行ったりする。ＲＴＣ（リアルタイムクロックモジュール）１１０は、時計部を構成するもので、中央制御部１０１は、ＲＴＣ１１０から現在日時を取得する。報知部１１１は、サウンドスピーカ１１１Ａ、ＬＥＤ（発光ダイオード）１１２Ｂ、振動モータ１１３Ｃを備え、着信時に駆動されて着信報知を行うほか、アラーム報知時などでも駆動される。
【００３０】
図３は、管理装置２の基本的な構成要素を示したブロック図である。
中央制御部２０１は、無停電電源装置（図示省略）を含む電源部２０２からの電力供給によって動作し、記憶部２０３内の各種のプログラムに応じてこの管理装置２の全体動作を制御する中央演算処理装置やメモリ（図示省略）などを有している。この記憶部２０３には、プログラム記憶部Ｍ２１、各種情報一時記憶部Ｍ２２、コンテンツ情報記憶部Ｍ２３、ユーザ情報記憶部Ｍ２４、店舗情報記憶部Ｍ２５、利用履歴記憶部Ｍ２６などが設けられている。プログラム記憶部Ｍ２１は、図１０〜図１３に示した動作手順に応じて本実施形態を実現するためのプログラムや各種のアプリケーションなどが格納されているほか、それに必要とする情報などが記憶されている。各種情報一時記憶部Ｍ２２は、フラグ情報、画面情報など、管理装置２が動作するために必要な各種の情報を一時的に記憶するワーク領域である。なお、コンテンツ情報記憶部Ｍ２３、ユーザ情報記憶部Ｍ２４、店舗情報記憶部Ｍ２５、利用履歴記憶部Ｍ２６については後で詳述するものとする。
【００３１】
通信部２０４は、多数同時アクセスが可能なもので、ブロードバンドのインターネットに接続（例えば、光通信接続）され、携帯電話機１との間でコンテンツの送受信を行ったり、上述の電子決済システムとの間でデータの送受信を行ったり、この通信販売サービスに加盟している店舗側の店舗端末装置５との間でデータの送受信を行ったりする。表示部２０５は、例えば、オペレータ用の確認画面や作業画面などを表示する。操作部２０６は、例えば、フルキーボードなどを有し、中央制御部２０１は、操作部２０６からの入力信号に応じた処理を実行する。ＲＴＣ（リアルタイムクロックモジュール）２０７は、時計部を構成するもので、現在日時を計時する。
【００３２】
図４は、管理装置２側に設けられたコンテンツ情報記憶部Ｍ２３を説明するための図である。
コンテンツ情報記憶部Ｍ２３は、音楽データ、映像データ、書籍データなどの各種のコンテンツを記憶するもので、「コンテンツＩＤ」、「種別」、「タイトル」、「実データ」、「画像」、「基本料」、…、を有する構成となっている。「コンテンツＩＤ」は、コンテンツを識別する一連番号などである。「種別」は、書籍、音楽、動画などのコンテンツの種類を示し、「タイトル」は、コンテンツに付加された情報（名前）である。「実データ」は、実際のコンテンツデータであるが、「画像」は、例えば、書籍の表紙の画像、ＣＤ／ＤＶＤのジャケットの画像など、コンテンツに関連する画像である。なお、「画像」としては、単一の画像に限らず、複数の画像であってもよい。「基本料」は、通常のコンテンツの販売価格である。
【００３３】
図５は、管理装置２側に設けられたユーザ情報記憶部Ｍ２４を説明するための図である。
ユーザ情報記憶部Ｍ２４は、コンテンツ配信サービスを利用するユーザ（顧客）に関する情報を記憶するもので、「ユーザＩＤ」、「ユーザ名」、「位置情報」、「端末ＩＤ」、…を有する構成となっている。なお、新規顧客の利用時に、その顧客に関する情報をユーザ情報記憶部Ｍ２４に新規登録するようにしている。「ユーザＩＤ」、「ユーザ名」は、ユーザを識別する情報である。「位置情報」は、ユーザの居場所（自宅）である。「端末ＩＤ」は、ユーザが所有する携帯電話機１の識別情報（例えば、製造番号や電話番号など）である。
【００３４】
図６は、管理装置２側に設けられた店舗情報記憶部Ｍ２５を説明するための図である。
店舗情報記憶部Ｍ２５は、本屋、ＣＤ・ＤＶＤ販売店などのように書籍、ＣＤ、ＤＶＤを取り扱う店舗に関する情報を記憶するもので、「店舗ＩＤ」、「店名」、「位置情報」、「営業時間」、「特典」、…を有し、また「特典」を「割引率」、「範囲」に区分し、さらに「範囲」を「書籍」、「音楽」、「動画」に区分した構成となっている。なお、店舗とは、主に書籍、ＣＤ、ＤＶＤを取り扱う実店舗を意味している。「店舗ＩＤ」、「店名」は、店舗を識別する情報である。「位置情報」は、店舗の所在地を示す情報で、チェーン店などの場合には、複数の位置情報であってもよい。「営業時間」は、その店舗が営業している時間である。
【００３５】
「特典」は、コンテンツ取引に関すると特典を示し、コンテンツの利用範囲やコンテンツの利用料を示す情報である。ここで、コンテンツ取引に関すると特典とは、その取引前の特典としてコンテンツのサンプルを送信する顧客サービスであり、取引時の特典として利用料（販売価格）の割引である。「割引率」は、コンテンツ取引時におれる特典で、コンテンツの基本料（通常販売価格）から幾ら割り引くかを示している。例えば、店舗に出向いた顧客へのサービスとして、コンテンツ情報記憶部Ｍ２３の「基本料」を割引する割引率を示し、その割引率分だけ減額した料金でコンテンツを利用（購入）可能であることを示しているが、サービスタイム料金のように時間毎に割引率を変えるようにしてもよい。
【００３６】
「範囲」は、コンテンツ取引前における特典で、例えば、店舗に出向いた顧客のようにコンテンツを利用（購入）する可能性の高い顧客（例えば、購買意欲の高い顧客）に対する購入への誘引として、そのコンテンツの一部分をサンプルとして利用（無料提供）する場合に、どの範囲まで利用可能であるかを示している。例えば、図示の例では、「店舗ＩＤ」が“Ｂ００１”の店舗の場合には、「書籍」で冒頭５ページ分、「音楽」で冒頭１分間やサビ（盛り上がり部分）１分、「動画」で冒頭１０分間やサビ（盛り上がり部分）１分などの範囲をサンプル提供が可能であることを示している。
【００３７】
図７は、管理装置２側に設けられた利用履歴記憶部Ｍ２６を説明するための図である。
利用履歴記憶部Ｍ２６は、ユーザ／携帯電話機が過去に利用（受信）したコンテンツに関する情報を利用先別（ユーザＩＤ）に記憶するもので、「ユーザＩＤ」、「受信日時」、「コンテンツＩＤ」、「利用料」、「範囲」、「店舗ＩＤ」、…を有する構成となっている。「ユーザＩＤ」は、コンテンツの利用先（ユーザ）を識別するための利用先識別情報であり、そのユーザが複数のコンテンツを利用している場合には、その利用数分の「受信日時」、「コンテンツＩＤ」、「利用料」、「範囲」、「店舗ＩＤ」、…を記憶するようにしている。
【００３８】
「受信日時」は、コンテンツを利用（受信）した日時、また、「コンテンツＩＤ」は、利用したコンテンツを識別する情報である。「利用料」は、コンテンツを利用した料金、「範囲」は、コンテンツを利用した範囲を示している。「店舗ＩＤ」は、利用したコンテンツの取り扱い店舗を識別する情報である。なお、コンテンツの利用先を識別するための利用先識別情報としては、「ユーザＩＤ」に限らず、「端末ＩＤ」であってもよい。この場合、「ユーザＩＤ」に基づいてユーザ情報記憶部Ｍ２４を検索して該当する「端末ＩＤ」を読み出すようにしてもよい。
【００３９】
次に、第１実施形態における携帯電話機１、管理装置２の動作概念を図８〜図１３に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００４０】
図８及び図９は、携帯電話機１側の動作を示したフローチャートであり、図１０〜図１３は、管理装置２側の動作を示したフローチャートである。
なお、図８は、携帯電話機１の全体動作のうち、本実施形態の特徴部分（コンテンツ受信処理）の動作概要を示したフローチャートであり、この図８のフローから抜けた際には、携帯電話機１の全体動作のメインフロー（図示省略）に戻る。図１０は、管理装置２の全体動作のうち、本実施形態の特徴部分（コンテンツ送信処理）の動作概要を示したフローチャートであり、この図１０のフローから抜けた際には、管理装置２の全体動作のメインフロー（図示省略）に戻る。以下、携帯電話機１と管理装置２との間でのコンテンツの送受信動作を図８及び図１０のフローチャートにしたがって説明する。
【００４１】
図８は、所望するコンテンツを受信するための前作業として、コンテンツの撮影指示操作が行われた際に、この撮影指示操作に応答して実行開始される携帯電話機１側でのコンテンツ受信処理を示したフローチャートである。
先ず、携帯電話機１側の中央制御部１０１は、撮像部１０７を起動させて撮影画像を取得する（図８のステップＡ１）。この場合、ユーザは、店舗内の所望する書籍の表紙やＣＤ／ＤＶＤのジャケットを撮影したり、自宅にある購入済みの書籍の表紙、ＣＤ／ＤＶＤのジャケットを撮影したりすると、そのときの撮影状況を検出する撮影状況検出処理に移る。すなわち、ＧＰＳ受信部１０６から現在位置（撮影位置）を検出取得するとともに（ステップＡ２）、ＲＴＣ１１０から現在日時（撮影日時）を撮影状況として検出取得する（ステップＡ３）。
【００４２】
そして、ユーザ・端末検出処理に移り、ユーザＩＤの入力を促すメッセージを表示させ、それに応答して操作部１０９から入力されたユーザＩＤを取得するとともに（ステップＡ３）、ユーザ情報記憶部Ｍ１４から「端末ＩＤ」を読み出し取得する（ステップＡ４）。この場合、ユーザ情報記憶部Ｍ１４から「ユーザＩＤ」を読み出し取得するようにしてもよい。このようにして取得した撮影画像・撮影状況（位置情報、日時情報）・ユーザＩＤ・端末ＩＤを各種情報一時記憶部Ｍ１２に一時記憶させた後（ステップＡ６）、撮影画像・撮影状況（位置情報、日時情報）・ユーザＩＤ・端末ＩＤを管理装置２に対して送信することによりコンテンツの送信要求を行う（ステップＡ７）。その後、管理装置２からの応答受信待ち状態となる（ステップＡ８、Ａ１０、Ａ１１）。
【００４３】
図１０は、電源投入に応じて実行開始される管理装置２側の動作を示したフローチャートである。
先ず、管理装置２側の中央制御部２０１は、携帯電話機１から撮影画像・撮影状況（位置情報、日時情報）・ユーザＩＤ・端末ＩＤを受信すると（ステップＣ１でＹＥＳ）、それを各種情報一時記憶部Ｍ２２に一時記憶させた後（ステップＣ２）、コンテンツ特定処理に移る（ステップＣ３〜Ｃ５）。すなわち、一時記憶の撮影画像を解析し（ステップＣ３）、その解析した結果に類似した画像が、コンテンツ記憶部Ｍ２３の「画像」として記憶されているか否かを照合する（ステップＣ４）。
【００４４】
その結果、類似した画像が存在する場合には、この類似した画像と対応付けられている「コンテンツＩＤ」を送信要求されたコンテンツを識別するための情報として特定する（ステップＣ５）。なお、コンテンツの特定の仕方としては、受信した撮影画像を解析した結果、その画像に含まれる文字列などがコンテンツを表す情報（例えば、タイトルなどの情報）と一致するかを照合することにより特定するようにしてもよい。このようにして撮影画像を解析することによって「コンテンツＩＤ」を特定した後は、コンテンツ取引に関する特典内容を決定するための処理に移る（ステップＣ６）。
【００４５】
図１１は、コンテンツ取引に関する特典内容決定処理（図１０のステップＣ６）を詳述するためのフローチャートである。
先ず、管理装置２の中央制御部２０１は、携帯電話機１から受信した一時記憶の位置情報と、ユーザ情報記憶部Ｍ２４及び店舗情報記憶部Ｍ２５に記憶されている「位置情報」と照合し（図１１のステップＤ１）、一時記憶の位置情報は、ユーザ情報記憶部Ｍ２４の「位置情報」に含まれているのか（ステップＤ２）、店舗情報記憶部Ｍ２５の「位置情報」に含まれているのか、いずれにも含まれていないのかを判別する（ステップＤ４）。
【００４６】
すなわち、コンテンツを販売する店舗内で撮影された場合か、携帯電話機１のユーザの自宅内で撮影された場合か、その他の場所で撮影された場合かを判別する。ここで、ユーザ情報記憶部Ｍ２４の「位置情報」に含まれている場合には（ステップＤ２でＹＥＳ）、撮影位置は自宅であると判断して自宅処理に移る（ステップＤ３）。また、店舗情報記憶部Ｍ２５の「位置情報」に含まれている場合には（ステップＤ４でＹＥＳ）、撮影位置は店舗であると判断して店舗処理に移る（ステップＤ５）。
【００４７】
図１２は、自宅処理（図１１のステップＤ３）を詳述するためのフローチャートである。
先ず、管理装置２の中央制御部２０１は、携帯電話機１から受信した一時記憶のユーザＩＤ・端末ＩＤを、ユーザ情報記憶部Ｍ２４の「ユーザＩＤ」及び「端末ＩＤ」と照合して、一致するか否かを判別する（図１２のステップＥ１）。この場合、「ユーザＩＤ」と「端末ＩＤ」の両方の照合に限らず、「ユーザＩＤ」と「端末ＩＤ」のいずれか一方だけの照合であってもよい。いま、携帯電話機１から受信した一時記憶のユーザＩＤ・端末ＩＤがユーザ情報記憶部Ｍ２４内の「ユーザＩＤ」・「端末ＩＤ」と一致するときには（ステップＥ２でＹＥＳ）、ユーザが自宅で自己所有の携帯電話機１を使用して購入済みの書籍、ＣＤ、ＤＶＤを撮影した場合であるから、そのコンテンツ取引に関する特典内容としてその利用料を割り引く処理を行う（ステップＥ３、Ｅ４）。
【００４８】
すなわち、上述のようにして特定した「コンテンツＩＤ」に対応付けられている「基本料」をコンテンツ情報記憶部Ｍ２３から読み出し（ステップＥ３）、自宅での撮影に応じた特典として一律の割引率（例えば、１０％）をその「基本料」から割り引いた料金を今回取引の利用料、つまり、コンテンツ取引に関する特典内容として決定する（ステップＥ４）。なお、この場合、利用履歴記憶部Ｍ２６をさらに参照して、利用料を決定するようにしてもよい。例えば、自宅での撮影に応じた割引率（１０％）だけではなく、過去にそのコンテンツを受信している場合にはさらに割引を行うようにしてもよい。その際、自宅での撮影に応じた割引率と過去の利用実績に応じた割引率とを合わせて割り引いた金額が今回の取引における利用料となる。
【００４９】
また、携帯電話機１から受信した一時記憶のユーザＩＤ・端末ＩＤがユーザ情報記憶部Ｍ２４内の「ユーザＩＤ」・「端末ＩＤ」と一致しないときには（ステップＥ２でＮＯ）、ユーザの自宅でユーザ以外の第三者（例えば、家族など）又はユーザが他人の携帯電話機１を使用して購入済みの書籍、ＣＤ、ＤＶＤを撮影した場合であると判断して、携帯電話機１から受信した一時記憶のユーザＩＤ・端末ＩＤに基づいて利用履歴記憶部Ｍ２６を参照し（ステップＥ５）、図１０のステップＣ５で特定したコンテンツを過去に受信したか否かを判別する（ステップＥ６）。
【００５０】
ここで、同一のコンテンツを過去に受信していれば（ステップＥ６でＹＥＳ）、その「基本料」から一律の割引率（例えば、１０％）を割り引いた料金をコンテンツ取引に関する特典内容として決定する（ステップＥ３、Ｅ４）。これによってユーザが別の端末装置を使用した場合のほか、例えば、ユーザ以外の第三者でもその家族などであれば、ユーザと同様の割引が可能となる。また、同一のコンテンツを過去に受信していなければ（ステップＥ６でＮＯ）、特定したコンテンツの「基本料」をコンテンツ情報記憶部Ｍ２３から読み出し（ステップＥ７）、今回取引の利用料として決定する（ステップＥ８）。すなわち、ユーザＩＤ・端末ＩＤが一致せず、しかも、同一のコンテンツを過去に受信していなければ、特典サービスを付与する必要がないと判断して、コンテンツの「基本料」を今回の取引における利用料として決定する。
【００５１】
なお、図１１のコンテンツ取引に関する特典内容決定処理において、ユーザ情報記憶部Ｍ２４、店舗情報記憶部Ｍ２５のいずれにも含まれていない場合には（図１１のステップＤ４でＮＯ）、自宅・店舗以外での撮影であり、特典サービスを付与する必要がないと判断して、図１２のステップＥ７に移り、コンテンツの「基本料」を読み出し、この「基本料」を今回の取引における利用料として決定する（ステップＥ８）。
【００５２】
図１３は、店舗処理（図１１のステップＤ５）を詳述するためのフローチャートである。
先ず、管理装置２の中央制御部２０１は、携帯電話機１から受信した一時記憶の位置情報を含む店舗の「営業時間」を店舗情報記憶部Ｍ２５から読み出し（図１３のステップＦ１）、携帯電話機１から受信した一時記憶の日時情報（撮影日時）と「営業時間」を照合して（ステップＦ２）、一時記憶の日時情報は「営業時間」内に含まれているか、つまり、その店舗の営業時間内での撮影かを判別する（ステップＦ３）。いま、一時記憶の日時情報が「営業時間」に含まれていなければ（ステップＦ３でＮＯ）、つまり、営業時間外での撮影であれば、特典付与の対象外とするために図１２のステップＥ７に移り、コンテンツの「基本料」を読み出し、この「基本料」を今回の取引における利用料として決定する（ステップＥ８）。
【００５３】
また、一時記憶の日時情報が「営業時間」に含まれている場合には（ステップＦ３でＹＥＳ）、営業時間内での撮影であるから、コンテンツのサンプルを受信するのか、コンテンツを購入するのかをユーザに問うて選択させるための要求（サンプル／購入選択要求）を携帯電話機１に対して送信した後（ステップＦ４）、携帯電話機１からの回答待ち（サンプル要求又は購入要求待ち）の状態となる（ステップＦ５、Ｆ６）。
ここで、携帯電話機１側では、管理装置２からサンプル／購入選択要求を受信すると（図８のステップＡ８でＹＥＳ）、サンプル／購入選択処理を実行した後（ステップＡ９）、上述のステップＡ８に戻る。
【００５４】
図９は、サンプル／購入選択処理（図８のステップＡ９）を詳述するためのフローチャートである。
携帯電話機１の中央制御部１０１は、サンプル（コンテンツの一部）を受信するのか、コンテンツを購入するのかをユーザに選択させるための選択画面を表示部１０８に表示させた後（図９のステップＢ１）、ユーザ操作によってサンプルが選択されたのか（ステップＢ２）、購入が選択されたかを判別する（ステップＢ４）。いま、サンプルが選択されたときには（ステップＢ２でＹＥＳ）、サンプル要求を管理装置２に対して送信するが（ステップＢ３）、購入が選択されたときには（ステップＢ４でＹＥＳ）、購入要求を管理装置２に対して送信する（ステップＢ５）。
【００５５】
管理装置２は、携帯電話機１からサンプル要求待ち又は購入要求待ち状態において（図１３のステップＦ５、Ｆ６）、携帯電話機１からサンプル要求を受信したときには（ステップＦ５でＹＥＳ）、携帯電話機１から受信した一時記憶の位置情報を含む店舗の「範囲」を読み出し（ステップＦ７）、その「範囲」をコンテンツ取引に関する特典内容として決定する（ステップＦ８）。また、携帯電話機１から購入要求を受信したときには（ステップＦ６でＹＥＳ）、コンテンツ記憶部Ｍ１３から特定コンテンツの「基本料」を読み出すとともに（ステップＦ９）、一時記憶の位置情報を含む店舗の「割引率」を読み出し（ステップＦ１０）、その「基本料」から「割引率」分を割り引いた利用料を今回の取引における利用料、つまり、コンテンツ取引に関する特典内容として決定する（ステップＦ１１）。なお、利用履歴記憶部Ｍ２６をさらに参照して、例えば、店舗の「割引率」だけでなく、過去にそのコンテンツを受信している場合にはさらに割引をするなど、コンテンツ取引に関する特典内容を決定するようにしてもよい。
【００５６】
このようにしてコンテンツ取引に関する特典内容決定処理が終わると（図１０のステップＣ６）、決定した特典内容は、「範囲」であるか、「利用料」であるかを調べる（ステップＣ７）。いま、特典内容が「範囲」であれば（ステップＣ７でＹＥＳ）、コンテンツ記憶部Ｍ１３から一時記憶の位置情報を含む店舗に対応し、かつ特定したコンテンツの種類「書籍」、「音楽」、「動画」のいずれかに対応する「範囲」を読み出し、特定したコンテンツの中からその「範囲」分の部分コンテンツを生成する（ステップＣ８）。なお、予め生成した範囲分のコンテンツが記憶されている場合には、それを読み出すようにしてもよい。そして、コンテンツを受信すべきことを携帯電話機１に対して要求した後（ステップＣ１１）、そのコンテンツを携帯電話機１に対して送信する（ステップＣ１２）。その後、管理装置２の全体動作のメインフロー（図示省略）に戻る。
【００５７】
また、決定した特典内容が「利用料」であれば（ステップＣ７でＮＯ）、携帯電話機１に対して電子決済処理を実行すべきことを要求した後（ステップＣ９）、電子決済システムと連携して携帯電話機１との間で電子決済処理を行う（ステップＣ１０）。なお、例えば、過去の利用実績などを考慮した結果、利用料が無料となったような場合には、電子決済要求送信（ステップＣ９）、電子決済処理（ステップＣ１０）はスキップするようにしている。このようにして電子決済が終了すると、コンテンツを受信すべきことを携帯電話機１に対して要求した後（ステップＣ１１）、そのコンテンツを携帯電話機１に対して送信する（ステップＣ１２）。その後、管理装置２の全体動作のメインフロー（図示省略）に戻る。
【００５８】
携帯電話機１は、管理装置２から電子決済要求を受信すると（図８のステップＡ１１でＹＥＳ）、管理装置２を介して電子決済システムとの間で電子決済処理を行った後（ステップＡ１２）、上述のステップＡ８に戻る。また、管理装置２からコンテンツを受信すべきことの要求を受信すると（ステップＡ１０でＹＥＳ）、管理装置２からのコンテンツを受信して（ステップＡ１３）、コンテンツ記憶部Ｍ１３に記憶保存した後（ステップＡ１４）、そのコンテンツの種類に応じた再生動作を開始する（ステップＡ１５）。その後、携帯電話機１の全体動作のメインフロー（図示省略）に戻る。
【００５９】
以上のように、第１実施形態においてコンテンツ取引システムを構成する管理装置２は、携帯電話機１側の撮像部１０７により撮影された画像に基づいてコンテンツを特定するとともに、その画像撮影時の撮影状況を検出し、この撮影状況から決定したコンテンツ取引に関する特典内容に基づいて、特定したコンテンツを携帯電話機１に送信するようにしたので、ＣＤ／ＤＶＤのジャケット、書籍の表紙などを撮影した画像に基づいて、適切かつ円滑なコンテンツ取引を実現することができ、販売促進上、有益なものとなる。
【００６０】
管理装置２は、画像撮影時における携帯電話機１の位置及び時刻を撮影状況として検出するようにしたので、コンテンツ取引に関する特典内容を適切に決定することができる。例えば、コンテンツを販売する店舗内で撮影された場合、携帯電話機１のユーザの自宅内で撮影された場合、割引料金適用時間内に撮影された場合など、コンテンツを識別するための画像がどこであるいはいつ撮影されたかに応じて、コンテンツ取引に関する特典内容を適切に決定することができる。
【００６１】
管理装置２は、コンテンツの利用範囲、コンテンツの利用料のいずれか一方をコンテンツ取引に関する特典内容として決定するようにしたので、例えば、撮影状況に基づいて、コンテンツの一部（サンプルなど）を送信するのか、全部（購入）を送信するのか、あるいは、利用料を基本料にするのか割引料にするのか無料にするのかなどを適切に決定することができる。
【００６２】
管理装置２は、コンテンツ取引に関する特典内容を決定する場合に、撮影状況のほかに過去の利用履歴に基づいて決定するようにしたので、店舗内や自宅内で撮影され、かつ、過去にそのコンテンツを利用したことがある場合には、特典内容として割引料が適用されるといったように、さらに柔軟な特典付与が可能となる。
【００６３】
携帯電話機１は、コンテンツの利用先を識別するための識別情報（ユーザＩＤ、端末ＩＤ）を管理装置２に送信し、管理装置２は、この識別情報に基づいて、コンテンツの利用先を検出するようにしたので、利用先の検出が容易かつ確実なものとなる。
【００６４】
管理装置２は、特定の店舗内か否かを撮影状況として検出し、特定の店舗内での撮影であれば、コンテンツ取引に関する特典内容としてその利用料を安くするようにしたので、その店舗特有のサービスとして利用料を安くしたりする場合に有効である。
【００６５】
管理装置２は、特定の店舗内か否かを撮影状況として検出し、特定の店舗内での撮影であれば、コンテンツ取引に関する特典内容として、コンテンツの一部をサンプルとして携帯電話機１に送信するようにしたので、コンテンツを販売する店舗内で撮影された場合、ユーザにコンテンツを利用（購入）しようとする意思があると想定することができ、コンテンツの一部をサンプルとして携帯電話機１に送信して、ユーザがコンテンツを確認できるようにすることは、購入への誘引として有効である。
【００６６】
管理装置２は、自宅内か否かを撮影状況として検出し、自宅での撮影であれば、コンテンツ取引に関する特典内容としてその利用料を安くするようにしたので、ユーザの自宅内で撮影された場合には、ユーザがそのコンテンツを利用（購入）したと想定することができ、２回目の利用（購入）のためのサービスとして利用料を安くしたりすることは、販売促進上有効である。例えば、本の場合、自宅で読むために紙の本を購入したが、通勤・通学時や外出時などには、携帯電話機の電子ブック機能を利用して本を読みたいというような場合、また、自宅ではＣＤプレイヤーでＣＤを聴くが、外出時などには携帯電話機の音楽プレイヤーで聴くという場合に、紙の本と電子ブックの両方、ＣＤと音楽コンテンツの両方の全料金をユーザに払わせるのではなく、コンテンツの利用料を割り引くなどの特典により、コンテンツの取引を適切に促進することができる。
【００６７】
（第２実施形態）
以下、この発明の第２実施形態について図１４を参照して説明する。
なお、上述した第１実施形態においては、コンテンツ取引システムを構成する管理装置２が携帯電話機１側の撮像部１０７により撮影された画像に基づいてコンテンツを特定するとともに、その画像撮影時の撮影状況を検出し、この撮影状況からコンテンツ取引に関する特典内容を決定するようにしたが、この第２実施形態は、第１実施形態において管理装置２側で実行していた処理の一部を携帯電話機１側で実行するようにしたものである。すなわち、携帯電話機１が撮像部１０７により撮影された画像に基づいてコンテンツを特定するとともに、その画像撮影時の撮影状況を検出し、この撮影状況からコンテンツ取引に関する特典内容を決定するようにしたものである。ここで、両実施形態において基本的あるいは名称的に同一のものは、同一符号を付して示し、その説明を省略するとともに、以下、第２実施形態の特徴部分を中心に説明するものとする。
【００６８】
第２実施形態の携帯電話機１において、その記憶部１０３には、プログラム記憶部Ｍ１１、各種情報一時記憶部Ｍ１２、コンテンツ記憶部Ｍ１３、ユーザ情報記憶部Ｍ１４のほかに、店舗情報記憶部Ｍ２５、利用履歴記憶部Ｍ２６を有する構成となっている。コンテンツ記憶部Ｍ１３は、過去に管理装置２から受信したコンテンツを記憶する以外に、各種のコンテンツに関する情報（コンテンツＩＤ、種別、タイトル、著者名、アーティスト名など）をデータベースとして記憶するようにしている。
【００６９】
店舗情報記憶部Ｍ２５は、携帯電話機１のユーザが利用する可能性のある地域内の店舗に関する情報を記憶するようにしている。この場合、携帯電話機１は、管理装置２に対して希望地域の店舗情報の送信を要求し、それに応じて管理装置２から送信される店舗情報を受信して自己の店舗情報記憶部Ｍ２５に記憶するようにしているが、全国各地の店舗に関する情報を記憶するようにしてもよい。ユーザ情報記憶部Ｍ１４は、携帯電話機１のユーザに関する利用情報を記憶するもので、例えば、管理装置２に対して自己のユーザ情報の送信を要求し、それに応じて管理装置２から送信されるユーザ情報を受信して自己のユーザ情報記憶部Ｍ１４に記憶するようにしている。
【００７０】
図１４は、第２実施形態における携帯電話機１側のコンテンツ受信処理を示したフローチャートである。なお、第２実施形態は、第１実施形態において管理装置２側で実行していた各種の処理（コンテンツ特定処理、コンテンツ取引に関する特典内容決定処理）を携帯電話機１側で実行するようにしたものであり、携帯電話機１側が実行するコンテンツ特定処理及びコンテンツ取引に関する特典内容決定処理は、第１実施形態において管理装置２側で実行していた処理と基本的には同様であるため、その説明を簡素に行うものとする。
【００７１】
先ず、携帯電話機１の中央制御部１０１は、撮像部１０７を起動させて撮影画像を取得した後（図１４のステップＧ１）、そのときの撮影状況を検出する撮影状況検出処理に移り（ステップＧ２）、ＧＰＳ受信部１０６から現在位置（撮影位置）を検出取得するとともに、ＲＴＣ１１０から現在日時（撮影日時）を撮影状況として検出取得する。そして、ユーザ／端末検出処理に移り（ステップＧ３）、ユーザＩＤの入力を促すメッセージを表示させ、それに応答して操作部１０９から入力されたユーザＩＤを取得するとともに、ユーザ情報記憶部Ｍ１４から「端末ＩＤ」を読み出し取得する。
【００７２】
次に、コンテンツ特定処理に移り（ステップＧ４）、取得した撮影画像を解析し、コンテンツ記憶部Ｍ１３を参照し、その画像に含まれる文字列などがコンテンツを表す情報（例えば、タイトル、著者名、アーティスト名などの情報）と一致するかを照合することにより「コンテンツＩＤ」を特定する。このようにして「コンテンツＩＤ」を特定した後は、コンテンツ取引に関する特典内容を決定するための処理を行う（ステップＧ５）。すなわち、ＧＰＳ受信部１０６から取得した現在位置（撮影位置）とユーザ情報記憶部Ｍ１４及び店舗情報記憶部Ｍ２５に記憶されている「位置情報」を照合し、撮影位置が自宅であれば、図１２の自宅処理を実行し、撮影位置が店舗であれば、図１３の店舗処理を実行するが、この第２実施形態の店舗処理では、サンプル／購入の選択要求送信に代わってその選択メッセージを表示させ、サンプルが選択されたか購入が選択されたかに応じて特典内容を決定する処理を行うようにしている。
【００７３】
これによってコンテンツ取引に関する特典内容決定処理が終わると、コンテンツＩＤなどのコンテンツ識別情報とともに特典内容を管理装置２に送信してそのコンテンツの送信を要求した後（ステップＧ６）、管理装置２からコンテンツを受信すべきことの要求を受信したり（ステップＧ７）、電子決済要求を受信したりするまで待機状態となる（ステップＧ１１）。
【００７４】
ここで、管理装置２側においては、携帯電話機１からコンテンツ送信の要求を受信すると、この要求内の特典内容は範囲であるか利用料であるかに応じた処理、すなわち、図１０のステップＣ７〜Ｃ１２に対応した処理を実行し、コンテンツ受信要求や電子決済要求を送信した後、該当するコンテンツを携帯電話機１に対して送信する処理を行う。
【００７５】
携帯電話機１においては、管理装置２からコンテンツ受信要求や電子決済要求を受信すると、それに応じた処理として、図８のステップＡ１１、Ａ１２に対応した処理を実行する。すなわち、携帯電話機１は、管理装置２から電子決済要求を受信すると（ステップＧ１１でＹＥＳ）、管理装置２を介して電子決済システムとの間で電子決済処理を行った後（ステップＧ１２）、上述のステップＧ７に戻る。また、管理装置２からコンテンツを受信すべきことの要求を受信すると（ステップＧ７でＹＥＳ）、管理装置２からのコンテンツを受信して（ステップＧ８）、コンテンツ記憶部Ｍ１３に記憶保存した後（ステップＧ９）、そのコンテンツの種類に応じた再生動作を開始する（ステップＧ１０）。その後、携帯電話機１の全体動作のメインフロー（図示省略）に戻る。
【００７６】
以上のように、第２実施形態において携帯電話機１は、撮像部１０７により撮影された画像に基づいてコンテンツを特定するほか、その画像撮影時の撮影状況を検出し、この撮影状況に基づいてコンテンツ取引に関する特典内容を決定して、その特典内容とともにコンテンツの送信を管理装置２に要求するようにしたので、上述した第１実施形態と同様に、ＣＤ／ＤＶＤのジャケット、書籍の表紙などを撮影した画像に基づいて、適切かつ円滑なコンテンツ取引を実現することができ、ユーザにあっては特典サービスを享受することができ、有益なものとなる。
【００７７】
携帯電話機１は、画像撮影時における携帯電話機１の位置及び時刻を撮影状況として検出するようにしたので、コンテンツ取引に関する特典内容を適切に決定することができる。例えば、コンテンツを販売する店舗内で撮影された場合、ユーザの自宅内で撮影された場合、割引料金適用時間内に撮影された場合など、コンテンツを識別するための画像がどこであるいはいつ撮影されたかに応じて、コンテンツ取引に関する特典内容を適切に決定することができる。
【００７８】
管理装置２は、コンテンツの利用範囲、コンテンツの利用料のいずれか一方をコンテンツ取引に関する特典内容として決定するようにしたので、例えば、撮影状況に基づいて、コンテンツの一部（サンプルなど）を送信するのか、全部（購入）を送信するのか、あるいは、利用料を基本料にするのか割引料にするのか無料にするのかなどを適切に決定することができる。
【００７９】
なお、上述した各実施形態においては、コンテンツのサンプルを送信したり、購入されたコンテンツを送信したりする場合を例示したが、コンテンツをレンタルする場合でもあってもよい。この場合、レンタル料（基本料）の割引などの特典サービスを提供するようにしてもよい。また、ＣＤ／ＤＶＤのジャケット、書籍の表紙などを撮影した画像を解析して販売品かレンタル品かをタグ情報から判別して、販売品割引処理やレンタル品割引処理を行うようにしてもよい。
【００８０】
また、上述した各実施形態においては、コンテンツ取引に関する特典内容として、コンテンツの利用範囲、コンテンツの利用料のいずれかを決定するようにしたが、コンテンツの利用範囲、コンテンツの利用料、コンテンツの利用期限（レンタル品の場合の貸し出し期限）、サービス券（抽選券、招待券、割引券など）の付加、利用ポイント（金銭的価値を持った点数）の加算、景品の付加のうち少なくともいずれか一方をコンテンツ取引に関する特典内容として決定するようにしてもよい。これによってユーザの購買意欲をさらに刺激したりすることができる。
【００８１】
また、上述した各実施形態においては、コンテンツの利用料を割引する場合を示したが割引に限らず、値引きなどであってもよい。
また、上述した各実施形態においては、コンテンツの利用範囲として冒頭から何ページをサンプルとして提供するようにしたが、冒頭から何ページに限らず、例えば、コンテンツの一部としてはダイジェストであってもよい。さらにコンテンツの一部（サンプル）に限らず、試聴、試し読みなどに対応するためにコンテンツの全部を一時的に貸与するようにしてもよい。また、上述のような特典サービスのほかに、ユーザの過去の利用履歴からユーザの好みに合った他のコンテンツを推奨するサービスを合わせて行うようにしてよい。
【００８２】
また、上述した各実施形態においては、ＣＤ／ＤＶＤのジャケット、書籍の表紙などを自宅、店舗で撮影した場合を例示したが、ＣＤ、ＤＶＤ、書籍を扱う施設として図書館であってもよい。すなわち、図書館に出向いて撮影したような場合には、コンテンツを利用（購入／レンタル）する可能性の高い顧客（例えば、購買意欲の高い顧客）に対する購入／レンタルへの誘引として有効なものとなる。
また、上述した各実施形態においては、ユーザの自宅で撮影した場合示したが、ユーザの自宅以外にも勤務先で撮影する場合であってもよい。
【００８３】
また、コンテンツ情報記憶部Ｍ２３内の「種別」は、動画、書籍、音楽に限らず、静止画やそれらの組み合わせなど、任意の種類のコンテンツであってもよい。
また、店舗情報記憶部Ｍ２５内に「営業時間」を設定して営業時間内に撮影された場合に、特典を付与するようにしたが、タイムサービス、特定日や特定期間などのような割引料金の適用期間内に撮影された場合に、料金を割り引くなどの特典を付与するようにしてもよい。
【００８４】
端末装置としては携帯電話機に限らず、パーソナルコンピュータ、ＰＤＡ、デジタルカメラ、音楽プレイヤーなど、任意の端末装置であってもよい。さらに、折り畳みタイプの端末装置に限らず、ストレートタイプ、スライドタイプ、スピントップタイプなど任意の筐体構造であってもよい。
【００８５】
その他、携帯電話機１と管理装置２との間の通信は、基地局を介した広域通信に限らず、基地局を介さない無線通信や有線通信など、構内通信であってもよい。すなわち、実際のショッピングモール内に構築された通信システムであってもよい。また、上述した各実施形態のコンテンツ取引システムとしては、多数の加盟店が集合したインターネット通信販売システムに適用した場合を示したが、単一企業が運営するインターネット通信販売システムであってもよい。
【００８６】
上述した実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００８７】
１  携帯電話機
２  管理装置
３  無線通信網
４  インターネット
１０１、２０１  中央制御部
１０３、２０１  記憶部
１０４  無線通信部
１０６  ＧＰＳ受信部
１０７  撮像部
１０８、２０５  表示部
１０９、２０６  操作部
１１０  ＲＴＣ
２０４  通信部
Ｍ１１、Ｍ２１  プログラム記憶部
Ｍ１２、Ｍ２２  各種情報一時記憶部
Ｍ１３  コンテンツ記憶部
Ｍ１４  ユーザ情報記憶部
Ｍ２１  プログラム記憶部
Ｍ２３  コンテンツ情報記憶部
Ｍ２４  ユーザ情報記憶部
Ｍ２５  店舗情報記憶部
Ｍ２６  利用履歴記憶部
【図１】
0005477908.tif 000002
【図２】
0005477908.tif 000003
【図３】
0005477908.tif 000004
【図４】
0005477908.tif 000005
【図５】
0005477908.tif 000006
【図６】
0005477908.tif 000007
【図７】
0005477908.tif 000008
【図８】
0005477908.tif 000009
【図９】
0005477908.tif 000010
【図１０】
0005477908.tif 000011
【図１１】
0005477908.tif 000012
【図１２】
0005477908.tif 000013
【図１３】
0005477908.tif 000014
【図１４】
0005477908.tif 000015